(57)【特許請求の範囲】
【請求項１】
略中央部には前後方向に底板切り欠き部を有し、底板切り欠き部の側端に、前方の側端の一部を除いて２条のガイドレールを有する底板と、該底板の前端から上方に延設された前板と、前記底板の一方の側端から上方に延設された仕切り板と、前記底板上に載置された商品が後ろに倒れないように支持すると共に該商品を前出しする商品支持体とを有する商品陳列具であって、前記商品支持体は、商品を支持する平板状の支持板部と、支持板部の下方に一体に延設された前方脚部と、支持板部の下部に上部屈曲部を介し、且つ支持体底部の後端に下部屈曲部を介して連接された後方脚部とを有し、前記支持体底部が前記２条のガイドレールに遊嵌して前記底板の前後方向に摺動可能に設置されると共に、前記底板切り欠き部の側端の外側の底板上面に前記商品支持体と協働して商品を起立させる凹凸が形成されており、前記凹凸は前記前方脚部と前記後方脚部の外側に位置することを特徴とする商品陳列具。
【請求項２】
略中央部には前後方向に底板切り欠き部を有し、底板切り欠き部の側端に、前方の側端の一部を除いて２条のガイドレールを有する底板と、前記底板上に載置された商品が後ろに倒れないように支持すると共に該商品を前出しする商品支持体とを有する商品陳列具であって、前記商品支持体は、商品を支持する平板状の支持板部と、支持板部の下方に一体に延設された前方脚部と、支持板部の下部に上部屈曲部を介し、且つ支持体底部の後端に下部屈曲部を介して連接された後方脚部とを有し、前記支持体底部が前記２条のガイドレールに遊嵌して前記底板の前後方向に摺動可能に設置されると共に、前記底板上面に前記商品支持体と協働して商品を起立させる凹凸が形成されており、前記凹凸は前記前方脚部と前記後方脚部の外側に位置することを特徴とする商品陳列具。
【請求項３】
略中央部には前後方向に底板切り欠き部を有し、底板切り欠き部の側端に、前方の側端の一部を除いて２条のガイドレールを有する底板と、前記底板の一方の側端から上方に延設された仕切り板と、前記仕切り板の一端に該仕切り板と直角な方向に延在して設けられた結合部と、前記底板上に載置された商品が後ろに倒れないように支持すると共に該商品を前出しする商品支持体とを有する商品陳列具であって、商品が陳列される棚板の前部または後部に該棚板の長手方向に沿って配置される支持部材に前記結合部を係合することにより前記仕切り板を前記棚板上に固定状態に保持し、且つ前記商品支持体は、商品を支持する平板状の支持板部と、支持板部の下方に一体に延設された前方脚部と、支持板部の下部に上部屈曲部を介し、且つ支持体底部の後端に下部屈曲部を介して連接された後方脚部とを有し、前記支持体底部が前記２条のガイドレールに遊嵌して前記底板の前後方向に摺動可能に設置されると共に、前記底板上面に前記商品支持体と協働して商品を起立させる凹凸が形成されており、前記凹凸は前記前方脚部と前記後方脚部の外側に位置することを特徴とする商品陳列具。
【請求項４】
前記支持体底部には脚部嵌合穴が形成され、前記商品支持体は、前方脚部の下部を前記脚部嵌合穴に嵌合したものであり、商品の支持や前出しが不要の際は、前記下部を脚部嵌合穴から脱着し、前記支持板部を後方側に引張り、前記支持板部と前記後方脚部と前記支持体底部を折りたたんで底板上に収納することを特徴とする請求項１〜３のいずれか１項に記載の商品陳列具。
【請求項５】
前記凹凸は、前記２条のガイドレールの外側の底板上に前後方向所定のピッチで設けられ側方からみた断面が略三角形状の突起物により形成されるか、又は溝状の凹部により形成されることを特徴とする請求項１〜４のいずれか１項記載の商品陳列具。
【請求項６】
前記仕切り板は、該仕切り板に形成されたガイド溝に遊嵌して該仕切り板の前後方向に摺動可能で、且つその後部に前記商品支持体を後方から前方に押し出す押圧片を備えた商品引出し部材を有することを特徴とする請求項１〜５のいずれか１項記載の商品陳列具。
【請求項７】
前記商品陳列具は、商品陳列棚に取り付け具を使用することなく載置され、商品陳列棚からの出し入れが自在なカセット式のものであることを特徴とする請求項１〜６のいずれか１項記載の商品陳列具。
【請求項８】
前記商品陳列具に陳列される商品が、それ自身で起立不能な薄物商品であることを特徴とする請求項１〜７のいずれか１項記載の商品陳列具。
【発明の詳細な説明】
【０００１】
【発明の属する技術分野】
本発明は、主にコンビニエンスストアーやスーパー等の店内に設置されている商品陳列棚等に取り出し自在に載置することにより用いられ、載置商品の前出しが容易で且つ載置商品の倒伏を防止できる商品陳列具に関する。
【０００２】
【従来の技術】
従来より、コンビニエンスストアーやスーパー等では、商品陳列棚に、多種類の商品が豊富に陳列されている。商品は手前の方から売れてゆくため、奥にある商品を手前に出すいわゆる前出し作業が必要となる。このため、前出し機能を備えた商品陳列棚又は商品陳列具が提案されている。例えば、図２１に示すように、底板２０１の一側に仕切り板２１０を起立させて連設し、この仕切り板２１０にスライド溝２１１を設け、このスライド溝２１１に押し板２２０を設けた商品引出し具２３０を嵌めてなり、底板２０１上の奥に残った商品を商品引出し具２３０を引き寄せることにより、前出しできる商品陳列具２００がある（実開昭６３−１４０２５４号公報参照）。この商品陳列具２００を用いることにより陳列商品の前出しを容易にすることができる。
【０００３】
【発明が解決しようとする課題】
しかしながら、コンビニエンスストアーやスーパー等に陳列される商品には、数枚ずつパック包装されたハム、パック入り惣菜等のような商品もある。このような商品は厚みが薄くて座りが悪いにも関わらず、食品等の商品の内容が購買者によく見えるために、あるいは美しく陳列して購買意欲を喚起するために立てかけられて陳列されることが多い。しかし、厚みの薄い商品を上述の商品陳列具２００に陳列した場合、商品が売れて商品陳列具２００中の前方に空きスペースが生じると商品１０の底部が前方に滑って商品が仰向けに寝てしまうため、商品１０の内容が購買者から見難くなったり美しく陳列できなくなるという問題がある。また、一度商品が寝てしまうと商品１０を起こしつつ前出ししなければならなくなるため、前出しの際に意外と大きな力が必要になったり商品の包装を傷つけたりする等の問題がある。また、この際、前方へ付勢する力に対する耐久力を付与するために押し板２２０や商品引出し具２３０等を厚くするため、陳列具が重量化しコストがかかってしまうという問題がある。
【０００４】
従って、本発明の目的は、厚みが薄くて座りの悪い商品を陳列する場合に、陳列具中の商品が売れて前方に空きスペースが生じても、商品の底部が滑って商品が仰向けに寝てしまうことなく美しく陳列できると共に前出しが容易であり、さらに簡単な構造でコストの低減が可能な商品陳列具を提供することにある。
【０００５】
【課題を解決するための手段】
かかる状況において、本発明者は、鋭意検討を行った結果、商品を載置する底板上に商品支持体が該底板の前後方向に移動自在に設置されると共に、前記底板上面に前記商品支持体と協働して商品を起立させる凹凸が形成されるようにすれば、厚みが薄くて座りの悪い商品を陳列する場合に、陳列具中の商品が売れて前方に空きスペースが生じても、底部が滑って商品が仰向けに寝てしまうことなく美しく陳列できると共に前出しが容易であり、さらに簡単な構造なためコストが低減されること等を見い出し、本発明を完成するに至った。
【０００６】
すなわち、本請求項１に係る発明は、略中央部には前後方向に底板切り欠き部を有し、底板切り欠き部の側端に、前方の側端の一部を除いて２条のガイドレールを有する底板と、該底板の前端から上方に延設された前板と、前記底板の一方の側端から上方に延設された仕切り板と、前記底板上に載置された商品が後ろに倒れないように支持すると共に該商品を前出しする商品支持体とを有する商品陳列具であって、前記商品支持体は、商品を支持する平板状の支持板部と、支持板部の下方に一体に延設された前方脚部と、支持板部の下部に上部屈曲部を介し、且つ支持体底部の後端に下部屈曲部を介して連接された後方脚部とを有し、前記支持体底部が前記２条のガイドレールに遊嵌して前記底板の前後方向に摺動可能に設置されると共に、前記底板切り欠き部の側端の外側の底板上面に前記商品支持体と協働して商品を起立させる凹凸が形成されており、前記凹凸は前記前方脚部と前記後方脚部の外側に位置することを特徴とする商品陳列具を提供するものである。かかる構成を採ることにより、厚みが薄くて座りの悪い商品を陳列する場合に、陳列具中の商品が売れて前方に空きスペースが生じても、底部が滑って商品が仰向けに寝てしまうことなく美しく陳列できると共に前出しが容易であり、さらに簡単な構造なためコストがかからない。
【０００７】
また、本請求項２に係る発明は、略中央部には前後方向に底板切り欠き部を有し、底板切り欠き部の側端に、前方の側端の一部を除いて２条のガイドレールを有する底板と、前記底板上に載置された商品が後ろに倒れないように支持すると共に該商品を前出しする商品支持体とを有する商品陳列具であって、前記商品支持体は、商品を支持する平板状の支持板部と、支持板部の下方に一体に延設された前方脚部と、支持板部の下部に上部屈曲部を介し、且つ支持体底部の後端に下部屈曲部を介して連接された後方脚部とを有し、前記支持体底部が前記２条のガイドレールに遊嵌して前記底板の前後方向に摺動可能に設置されると共に、前記底板上面に前記商品支持体と協働して商品を起立させる凹凸が形成されており、前記凹凸は前記前方脚部と前記後方脚部の外側に位置することを特徴とする商品陳列具を提供するものである。かかる構成を採ることにより、より簡易な構造であるため製造コストが低減できると共に、別途の商品転落防止部や商品仕切り部を準備すれば、これと協働して商品転落防止や商品の仕切りが行える。
【０００８】
また、本請求項３に係る発明は、略中央部には前後方向に底板切り欠き部を有し、底板切り欠き部の側端に、前方の側端の一部を除いて２条のガイドレールを有する底板と、前記底板の一方の側端から上方に延設された仕切り板と、前記仕切り板の一端に該仕切り板と直角な方向に延在して設けられた結合部と、前記底板上に載置された商品が後ろに倒れないように支持すると共に該商品を前出しする商品支持体とを有する商品陳列具であって、商品が陳列される棚板の前部または後部に該棚板の長手方向に沿って配置される支持部材に前記結合部を係合することにより前記仕切り板を前記棚板上に固定状態に保持し、且つ前記商品支持体は、商品を支持する平板状の支持板部と、支持板部の下方に一体に延設された前方脚部と、支持板部の下部に上部屈曲部を介し、且つ支持体底部の後端に下部屈曲部を介して連接された後方脚部とを有し、前記支持体底部が前記２条のガイドレールに遊嵌して前記底板の前後方向に摺動可能に設置されると共に、前記底板上面に前記商品支持体と協働して商品を起立させる凹凸が形成されており、前記凹凸は前記前方脚部と前記後方脚部の外側に位置することを特徴とする商品陳列具を提供するものである。かかる構成を採ることにより、該商品陳列具を前部又は後部の一方のみで棚板上の任意の箇所に容易にかつ安定した状態に確実にセットできる。
【０００９】
また、本請求項４に係る発明は、前記支持体底部には脚部嵌合穴が形成され、前記商品支持体は、前方脚部の下部を前記脚部嵌合穴に嵌合したものであり、商品の支持や前出しが不要の際は、前記下部を脚部嵌合穴から脱着し、前記支持板部を後方側に引張り、前記支持板部と前記後方脚部と前記支持体底部を折りたたんで底板上に収納することを特徴とする前記商品陳列具を提供するものである。かかる構成を採ることにより、自立可能な商品を陳列する場合や商品支持体を不要とする場合は、折りたたんで収納状態にでき、商品陳列の妨げとならず、陳列用途の選択が広がる。
【００１０】
また、本請求項５に係る発明は、前記凹凸は、前記２条のガイドレールの外側の底板上に前後方向所定のピッチで設けられ側方からみた断面が略三角形状の突起物により形成されるか、又は溝状の凹部により形成されることを特徴とする請求項１〜４のいずれか１項記載の商品陳列具を提供するものである。かかる構成を採ることにより、底板上の凹凸の形状が側方からみた断面が略三角形状の突起物で形成される場合は、上記機能のうち、特に商品底部の滑りを効果的に防止でき、前出しの際に商品の底部に過度の力を与えない。また、底板から突出した突起物だけで凹凸部を形成するため、底板の厚さを薄くでき、商品収納スペースが広がる。また、溝状の凹部により形成される場合は、底板に薄物以外の厚みのある商品を載置しても、凸状突起によって商品の下部が傷つけられることがない。
【００１１】
また、本請求項６に係る発明は、前記仕切り板は、該仕切り板に形成されたガイド溝に遊嵌して該仕切り板の前後方向に摺動可能で、且つその後部に前記商品支持体を後方から前方に押し出す押圧片を備えた商品引出し部材を有することを特徴とする請求項１〜５のいずれか１項記載の商品陳列具を提供するものである。かかる構成を採ることにより、上記機能に加え、商品や商品支持体に直接触れずに商品引出し部材を手前に引き出すだけで前出しを行うことができる。このため、商品陳列具をわざわざ商品陳列棚から取り出さなくても商品を前出しできる。
【００１２】
また、本請求項７に係る発明は、前記商品陳列具は、商品陳列棚に取り付け具を使用することなく載置され、商品陳列棚からの出し入れが自在なカセット式のものであることを特徴とする請求項１〜６のいずれか１項記載の商品陳列具を提供するものである。かかる構成を採ることにより、上記機能に加え、作業員は当該商品陳列具を商品陳列棚から取り出し、手元に引き寄せて作業を行うことができ、陳列商品の補充や取り替え等が容易となる。
【００１３】
また、本請求項８に係る発明は、前記商品陳列具に陳列される商品が、それ自身で起立不能な薄物商品であることを特徴とする請求項１〜７のいずれか１項記載の商品陳列具を提供するものである。かかる構成を採ることにより、それ自身で起立不能な薄物包装物であっても底部が滑って商品が仰向けに寝てしまうことなく美しく陳列できる。
【００１４】
【発明の実施の形態】
以下、本発明の実施の形態を挙げて図１〜図２０に基づいて詳述する。図１〜図８は本発明の第１の実施の形態例を示す図である。図１は第１の実施の形態の商品陳列具１ａを示す斜視図、図２は図１の商品陳列具１ａに薄物商品１０を陳列した図、図３は図１のＡ−Ａ線に沿う断面図、図４は図１の商品陳列具の右側面図である。図１及び図２において、商品陳列具１ａは、前後方向に形成された２条のガイドレール６５、６５を有する底板２と、底板２の前端から上方に延設された前板３と、底板２の一方の側端から上方に延設された仕切り板４と、底板２上に載置された商品１０が後ろに倒れないように支持すると共に商品１０を前出しする商品支持体５とを有する。商品陳列具１ａにおいて、商品支持体５は２条のガイドレール６５、６５に遊嵌して底板２の前後方向に摺動可能に設置されると共に、底板２の上面２１に商品支持体５と協働して商品１０を起立させる凹凸７が、前記２条のガイドレール６５、６５の外側の底板２上に前後方向所定のピッチで設けられ側方からみた断面が略三角形状の突起物７ａによって形成される。また、商品陳列具１ａは底板２と、前板３と、仕切り板４とが一体に形成されると共に、棚板１２上に取り付け工具を使用することなく載置され、棚板１２からの出し入れが自在のカセット式のものになっている。
【００１５】
底板２は、商品陳列棚１２上に載置する略矩形の部材である。底板２の略中央部には前後方向に底板切り欠き部６が設けられており、底板切り欠き部６の側端６１、６１には、前方の側端の一部６２、６２を除いてガイドレール６５、６５が配置される。ガイドレール６５、６５は、商品支持体５を遊嵌して底板２の前後方向に摺動して移動可能にするために設置される。
【００１６】
底板切り欠き部６の側端６１、６１の外側の底板２上には、商品支持体５と協働して商品１０を起立させる凹凸７が形成される。凹凸７は、図１及び図２に示すように、前後方向所定のピッチで設けられ側方からみた断面が略三角形状の突起物７ａと底板２とにより形成される。突起物７ａは、商品１０の下部が前方に滑ることを抑止するように底板上面２１から突起物７ａの頂上部７３に上方に傾斜して設けられた商品滑り抑止部７１と、突起物７ａの頂上部７３から底板２の上面２１に下方に傾斜して設けられた壁部７２とからなる。図１において、底板２の上面２１と商品滑り抑止部７１とのなす角度は１３５°程度である。なお、この角度は特に限定されるものではなく９０〜１６０°、好ましくは１２０〜１５０°の範囲内で設計変更等してもよい。ただし、この角度が１５０°を越えると商品１０の底部１１の滑りを止めることができず、また９０°未満であると商品１０の前出しが困難になる。底板２の上面２１と壁部７２とのなす角度は、図１においては１３５°程度に示されるが、特に限定されるものではない。また、突起物７ａの大きさは、載置される商品１０に応じて適宜決定される。さらに、突起物７ａは、底板上の前後方向に所定のピッチで形成されるが、ピッチの大きさも載置される商品１０に応じて適宜決定される。
【００１７】
前板３は、底板２上に載置された商品１０が前傾しても前方に転倒しないように作用すると共に、前出し作業等で商品陳列具１ａ全体を引き出す際に把手となる前板本体部３１ａと、さらに把持し易くするための把手板３１ｂを有する。把手板３１ｂは前板本体部３１ａの上部から前方水平方向に延設される。なお、把手板３１ｂはあってもなくてもよく、また、把手板３１ｂが形成される場所は特に限定されず、前板３の上部、平面部又は下部のどこでもよい。このように把手板３１ｂが形成されることにより、商品陳列具１ａ全体を商品陳列棚１２から取り出す際の作業性が向上する。
【００１８】
仕切り板４は、底板２上に載置された商品１０を他の陳列具の商品と区別して整然と載置すると共に、商品陳列具１ａを陳列棚１２から取り出す際、商品１０の横転落を防止するためのものである。なお、仕切り板４は底板２の一方の側端のみに設けられて、両方の側端に設けられないが、これは底板２に載置される商品１０の大きさに制限されないと共に、底板２上への商品１０の補充を容易にするためである。
【００１９】
商品支持体５は、商品１０を支持する平板状の支持板部５１と、支持板部５１の下方に一体に延設された前方脚部５２と、支持板部５１の下部に上部屈曲部５３ａを介し、且つ支持体底部５４の後端に下部屈曲部５３ｂを介して連接された後方脚部５３と、前方脚部５２の下部５２ａが抜き差し可能な脚部嵌合穴５５ａ、５５ｂを有すると共に、２条のガイドレール６５、６５に遊嵌する嵌合片５４ｂ、５４ｂを支持体底部の両側端５４ａ、５４ａの下部に有する平板状の支持体底部５４とから構成される。
【００２０】
支持板部５１は、図１〜図４に示すように、下部５２ａを脚部嵌合穴５５ａに嵌合した前方脚部５２と、後方脚部５３とに支持されて斜め後方に傾斜した状態になり、商品１０を後方から支持する。また、下部５２ａが嵌合する脚部嵌合穴５５を脚部嵌合穴５５ａから前方の脚部嵌合穴５５ｂに変えれば、支持板部５１をさらに深く後方傾斜させることができ、これにより商品１０の載置される角度（仰角）を調節できるようになっている。また、商品１０が自立可能なものの場合や商品支持体を不要とする場合は、折りたたんで収納状態とすることができる。すなわち、下部５２ａを脚部嵌合穴５５ａから脱着して支持板部５１を矢印Ｂ方向に引っ張ることにより支持板部５１、後方脚部５３及び支持体底部５４を略同一平面になるように伸ばし、次いでこれらを底板２上に倒し込めば、載置される商品１０の邪魔にならない。
【００２１】
支持体底部５４は、図３に示すように、嵌合片５４ｂ、５４ｂが両側端５４ａ、５４ａの下部に鍵状に形成され、２条のガイドレール６５、６５と遊嵌するため、商品支持体５は、底板２の前後方向に摺動可能であり、底板２に載置された商品１０を簡単に前出しできる。また、商品支持体５を使用しないときには、支持体底部５４を底板切り欠き部６の前方端に当接するまでスライドさせてガイドレール６５、６５から嵌合片５４ｂ、５４ｂを外し、次いで上方に引き抜くことにより、底板２から商品支持体５を取り外すことができる。
【００２２】
商品陳列具１ａに載置される商品１０としては、コンビニエンスストアー等で陳列されるものであれば特に限定されるものではないが、例えば数枚ずつパック包装されたハム、パック入り惣菜、レトルト食品のパック等のように厚みが薄く、それ自身で起立不能な薄物商品であることが好ましい。
【００２３】
次に、図２及び図４〜図８に基づいて商品陳列具１ａの使用方法について説明する。図５〜図８は第１の実施の形態の商品陳列具１ａを取り出して使用する使用状態図である。図４は、商品陳列具１ａ中に載置された商品１０が購買者により抜き取られ、底板２の手前側に商品１０が載置されない状態を示す。この状態において、商品１０は、商品１０の集合物１００中一番後ろの商品１０ｃの背面が商品支持体５により支持されると共に、商品の底部１１が突起部７ａの商品滑り抑止部７１により前方に滑ることを抑止される、すなわち、商品支持体５と突起部７ａとが協働して商品１０を起立させるため、商品１０の集合物１００は底板２の前方に向かって滑ることがなく、商品１０の前面が見難くなることがない。図２は、図４の状態から、購買者が一番手前の商品１０ａを矢印Ｃ方向に抜き取ったときの状態を示す。この場合、突起物７ａ、７ａ間において、商品１０ａが抜き取られることにより商品１０ｂの底部１１が矢印Ｄ方向に滑るが、突起物７ａの商品滑り抑止部７１により滑りが止まる。このため商品１０は倒れることがなく、且つ商品１０の前面が見難くなることもない。
【００２４】
次に、商品陳列具１ａを商品陳列棚から取り出して商品１０を前出し及び補充する手順の例を説明する。まず、図５に示すように、矢印Ｅ方向に前板３の把手板３１ｂをつかんで商品陳列棚１２から商品陳列具１ａを引き出す。この際、商品陳列具１ａは、底板２、前板３、仕切り板４及び商品支持体５が一体のカセット式のものであるため、容易に引き出すことができる。次いで、図６に示すように、商品支持体５を商品１０の集合物１００と共に前方に手動で引き寄せ、商品１０の前出しを行う。次いで、図７に示すように、前方に引き寄せた商品支持体５を後方に押しやり、商品１０の集合物１００と商品支持体５との間にスペースを設け、このスペースに新たな商品１０の集合物１０１を補充する。商品の集合物１０１の補充を終えたら、商品支持体５を再び前方に引き寄せ、商品の集合物１０１との間のスペースを詰める。最後に商品１０の補充を終えた商品陳列具１ａを、矢印Ｆの方向に移動させて図８に示すように商品陳列棚１２上に戻して、商品１０の前出し、補充作業を完了する。
【００２５】
上記第１の実施の形態は、本発明の要旨を逸脱しない範囲で種々改変することができる。例えば、凹凸７の形状は、載置商品が底板２上を滑らない構造のものであれば、側方からみた断面が三角形状、矩形状、半円状等のどのような形状でもよい。また、凹凸７が設けられるピッチも載置商品１０により任意で選択すればよい。図９の（Ａ）は凹凸７の凸部が突起物７ｂである場合の商品陳列具１ａの変形例１ｂである。商品陳列具１ａと変形例１ｂとの相違点は、突起物７ｂ、７ｂ間に平坦部分がなく連続して設けられている点にある。変形例１ｂによれば、商品陳列具１ａと同様の機能に加えて、突起物７ｂ、７ｂ間の平坦部分がないため、商品１０が底板２の平坦部分で微妙に横方向に向いてしまうことがなくなり、より美しく陳列することができる。また、図９の（Ｂ）は凹凸７の凸部が突起物７ｃである場合の商品陳列具１ａの変形例１ｃである。商品陳列具１ａと変形例１ｃとの相違点は、突起物７ｃの壁部７２の傾斜が突起物７ａと比較してなだらかになっており、その角度が略１６０°に形成されている点にある。変形例１ｃによれば、商品陳列具１ａと同様の機能に加えて、壁部７２の傾斜がなだらかであるため、商品１０の前出しの際に商品１０の底部１１が突起物７ｃの頂上部７３から底板２の上面２１に一気に移動しても底部１１に与えられる力が少なくなる。
【００２６】
また、図９の（Ｃ）は凹凸７の凸部が突起物７ｄである場合の商品陳列具１ａの変形例１ｄである。商品陳列具１ａと変形例１ｄとの相違点は、突起物７ｄの壁部７２の傾斜が突起物７ａと比較してなだらかになってその角度が略１６０°であり、且つ突起物７ｄ、７ｄ間に平坦部分がなく連続して設けられている点にある。変形例１ｄによれば、商品陳列具１ａと同様の機能に加えて、突起物７ｄ、７ｄ間の平坦部分がないため、商品１０が底板２の平坦部分で微妙に横方向に向いてしまうことがなくなってより美しく陳列することができると共に、壁部７２の傾斜が突起物７ａと比較してなだらかであるため、商品１０の底部１１に与えられる力が少なくなる。
【００２７】
次に、本発明の第２の実施の形態の商品陳列具について、図１０及び図１１に基づき説明する。第２の実施の形態において、第１の実施の形態例と同一構成要素には同一符号を付してその説明を省略し、相違点について説明する。第２の実施の形態と第１の実施の形態との相違点は、第１の実施の形態では凹凸７が突起物７ａ等の突起物の形状又は突起物の形状と底板とにより形成されていたのに対し、第２の実施の形態では凹凸７が溝状の凹部７ｅ又は７ｆを設けることにより形成される点にある。すなわち、図１０に示される商品陳列具１ｅにおいて、凹凸７は側面から見た断面形状が略三角形状の溝状凹部７ｅを設けることにより形成される。溝状凹部７ｅは、第１の実施の形態の突起物７と同様に商品滑り抑止部７１と壁部７２とが形成されるが、溝状凹部７ｅ、７ｅ間に、平坦部分２１が商品滑り抑止部７１及び壁部７２よりも高い位置に設けられる。商品陳列具１ｅによれば、上記第１の実施の形態と同様の機能に加えて、底板２上に薄物でない箱型の商品１０等を載置して前出ししても、突起物７の頂上部７３によって箱型の商品１０等の底部を損傷することがなくなる。
【００２８】
図１１は商品陳列具１ｅの変形例１ｆの側面図である。変形例１ｆと商品陳列具１ｅとの相違点は、変形例１ｆの溝状凹部７ｆの壁部７２の傾斜角度が、商品陳列具１ｅの溝状凹部７ｅよりもなだらかになっている点である。変形例１ｆによれば、商品陳列具１ｅと同様の機能に加えて、壁部７２の傾斜がなだらかであるため、商品１０の前出しの際に商品１０の底部１１が底板２の上面２１から壁部７２に一気に移動しても底部１１に与えられる力が少なくなる。第２の実施の形態の商品陳列具は、第１の実施の形態の商品陳列具と同様の方法で使用される。
【００２９】
次に、本発明の第３の実施の形態の商品陳列具について、図１２及び図１３に基づき説明する。第３の実施の形態において、第１の実施の形態と同一構成要素には同一符号を付してその説明を省略し、相違点について説明する。第３の実施の形態と第１の実施の形態との相違点は、第１の実施の形態における仕切り板４が、仕切り板４に設けられたスライド溝に遊嵌して仕切り板４の前後方向に摺動可能で、且つその後部に商品支持体５を前方に押し出す押圧片８５が形成された商品引出し部材８を有する点にある。すなわち、図１２及び図１３に示される商品陳列具１ｇにおいて、仕切り板４は、その一部にスライド溝８２、８３が形成され、このスライド溝８２、８３に商品引出し部材８が遊嵌して摺動可能に形成される。商品引出し部材８は、スライド溝８２、８３に遊嵌して摺動可能な長板状の引出し本体８１と、仕切り板４に略垂直且つ前板３と略平行に引出し本体８１後部から延設された平板状の押圧片８５と、押圧片８５の背面に引出し本体８１と一体に設けられた後方連結部材８４とから構成される。また、後方連結部材８４の後端部には係止凸部（図示せず）が設けられ、この係止凸部と仕切り板４の後端部内側に突設された後方係止部８７の係止凸部（図示せず）との間に、通常縮んだ状態のコイルバネ９の両端をはめ込み、これらの間に介在させる。
【００３０】
次に、図１２及び図１３を参照して、第３の実施の形態である商品陳列具１ｇの使用方法を簡単に説明する。第３の実施の形態の使用方法において、第１の実施の形態の使用方法と相違する点は前出し方法である。すなわち、この前出し方法の相違点は、第１の実施の形態では商品１０の前出しをする際に、まず商品陳列具１を商品陳列棚１２から取り出して、次いで商品支持体５を手動で後方から押して行っていたのに対し、第３の実施の形態では商品陳列具１ｇを商品陳列棚１２から取り出さなくても商品引出し部材８を前方に引き出すことにより商品１０の前出しを行える点である。
【００３１】
図１２に示すように商品支持体５が後方にある状態から図示しない商品１０を前出しするには、まず、引出し本体８１前部に設けられた凹部８６を指で摘んで図１３の矢印Ｇの方向に引出し本体８１を引き出す。すると引出し本体８１と一体に形成される押圧片８５が前方に移動し支持板部５１の背面に当接する。さらに、引出し本体８１を引き出し続けると商品支持体５と共に底板２上に載置された商品１０も前方に引き寄せることになり、商品１０の前出しを行うことができる。なお、コイルバネ９は、通常は図１２に示すように縮んだ状態であるため、図１３に示すように伸びた状態では、商品引出し部材８を後方に引き戻すように付勢する。このため、商品１０の前出し作業を終了した後は、摘まみ部８６から手を放せば、引出し本体８１が自動的にコイルバネ９に付勢されて元の位置に戻る。
【００３２】
次に、本発明の第４の実施の形態の商品陳列具について、図１４及び図１５に基づき説明する。第４の実施の形態において、第１の実施の形態と同一構成要素には同一符号を付してその説明を省略し、相違点について説明する。第４の実施の形態と第１の実施の形態との相違点は、第１の実施の形態における前板３と仕切り板４を省略した点である。前板３の省略に伴い、底板２上に載置された商品１０が前傾した場合前方に転倒するが、これは棚板１２の前方に既設の商品転落防止具（不図示）を利用するか、又は別途の商品転落防止具（不図示）を設置するなどすればよい。また、仕切り板４の省略に伴い、底板２上に載置された商品１０を他の陳列具の商品と区別することができないが、これは別途の商品仕切り板を設ければよい（不図示）。また、本実施の形態例においても、図９〜図１１における凹凸７の変形例が適用できる。
【００３３】
次に、本発明の第５の実施の形態の商品陳列具について、図１６〜図２０に基づき説明する。第５の実施の形態において、第１の実施の形態と同一構成要素には同一符号を付してその説明を省略し、相違点について説明する。第５の実施の形態と第１の実施の形態との主たる相違点は、第１の実施の形態における前板３を省略し、仕切り板４の一端に仕切り板４と直角な方向に延在して設けられた結合部９３を設けた点にある。結合部９３は、後述する支持部材１５を利用して商品陳列具１ｉを棚板上に固定状態に保持するためのもので、この結合部９３には、支持部材１５に対し上方から係脱可能に係合できるように下方に向け開口するＵ字状の係合溝９４が形成され、Ｕ字状の係合溝９４内の中間部に位置する側壁面には、鉛直方向に延在する一対の位置決め用凸部９５が所定の間隔（４．８〜５．０mm) をおいて形成される。以下、図１６〜図２０に基づき説明する。
【００３４】
図１６は本発明の第５の実施の形態における商品陳列具の斜視図、図１７は該商品陳列具の組付け状態を示す図、図１８は本発明の実施の形態における商品陳列具を支持部材に係合した状態を示す要部の拡大側面図、図１９は図１８のＡ−Ａ線に沿う断面図、図２０は図１８のＢ−Ｂ線に沿う断面図である。図１６〜図２０において、商品陳列具１ｉは、例えば底板２の一端に底板２と直角な方向に延在して設けられた結合部９３を備えており、これらは、透明、半透明または着色されたアクリルや塩化ビニール等の合成樹脂材から成形される。結合部９３は、後述する支持部材１５を利用して商品陳列具１ｉを棚板１２上に固定状態に保持するためのもので、この結合部９３には、支持部材１５に対し上方から係脱可能に係合できるように下方に向け開口するＵ字状の係合溝９４が形成されている。また、Ｕ字状の係合溝９４内の中間部に位置する側壁面には、図１８〜図２０に示すように鉛直方向に延在する一対の位置決め用凸部９５が所定の間隔（４．８〜５．０ｍｍ）をおいて形成されている。
【００３５】
上記棚板１２の前端には、図１６に示すように、プライスレール１２０が棚板１２の全長に亘り取り付けられており、このプライスレール１２０の背面と棚板１２の前端面１１１間には、合成樹脂製の商品転倒防止部材１３０が差し込まれる取付溝１４０が棚板１２の全長に亘り形成されている。また、上記取付溝１４０には、商品陳列具１ｉを棚板１２上に固定状態に保持する合成樹脂製の支持部材１５が転倒防止部材１３０の背面側から係脱可能に係合されている。上記支持部材１５は、図１７〜図２０に示すように、取付溝１４０に転倒防止部材１３０の背面側から係合される尺単位（３０ｃｍ程度）の短冊状支持片１５１と、この短冊状支持片１５１の背面に該背面から所定間隔離して短冊状支持片１５１の全長にわたり平行に配置された係合片１５２を備え、この係合片１５２の下端は連結部１５３により短冊状支持片１５１の背面に接合されているとともに、係合片１５２の背面には、上記位置決め用凸部１０５が係合する凹部１５４が係合片１５２の長手方向に所定のピッチ、すなわち位置決め用凸部９５の間隔と同一のピッチ（４．８〜５．０ｍｍ）で形成されている。
【００３６】
上記のように構成された商品陳列具１ｉを棚板１１にセットする場合について説明する。この場合は、図１７に示すように、まず、支持部材１５の支持片１５１を転倒防止部材１３０の背面側から取付溝１４０内に差し込み、支持部材１５を棚板１２の前端部に取り付ける。その後、商品陳列具１ｉをセットしたい棚板１２上の箇所に載せ、結合部９３のＵ字状係合溝９４を係合片１５２に上方から係合する。そして、位置決め用凸部９５を係合片１５２の凹部１５４に係合することにより、商品陳列具１ｉの底板２は棚板１２上に載置されるとともに、商品陳列具１ｉは棚板１２の前後方向及び左右方向に移動することのない固体状態に保持されることになる。
【００３７】
本実施の形態によれば、商品陳列具１ｉを構成する仕切り板４の一端に設けた結合部９３のＵ字状係合溝９を支持部材１５の係合片１５２に上方から係合し、かつＵ字状係合溝９４内の位置決め用凸部９５を係合片１５２の凹部１５４に係合することにより、商品陳列具１ｉを棚板１２上に固定状態に保持できる構成にしたので、商品陳列具１ｉの一端に設けた結合部９３のみで商品陳列具１ｉを棚板１２上の任意の箇所に容易にかつ安定した状態に確実にセットすることができる。
【００３８】
なお、本実施の形態では、商品陳列具１ｉの前端に結合部９３を設け、この結合部９３を棚板１２の前部に設けた支持部材１５に係合する構成について説明したが、本発明はこれに限定されない。例えば結合部９３を商品陳列具１ｉの後端に設け、これに対応して、支持部材１５を棚板１２の後部に設けるようにしてもよい。また、上記の実施の形態では、位置決め用凸部９５をＵ字状係合溝９４の内壁に鉛直方向に延在する形に設け、この位置決め用凸部９５が係合する凹部１５４を係合片１５２の背面に鉛直方向に延在する形に設けた場合について説明したが、本発明はこれに限らず、例えば位置決め用凸部９５をＵ字状係合溝９４の底部に形成し、この位置決め用凸部９５が係合する凹部１５４を係合片１５２の上端縁に所定のピッチで形成する構成にしてもよい。また、本発明における支持部材１５は、上記実施の形態に示すように商品転倒防止部材１３０と別に構成された場合について説明したが、これに限らず、支持部材１５の凹部１５４を含む係合片１５２を商品転倒防止部材１３０の背面に一体に形成する構成にしてもよい。
【００３９】
以上、本発明の実施形態を説明したが、具体的な構成はこれに限定されず、本発明の要旨を逸脱しない範囲での変更、追加は本発明の範囲内である。
【００４０】
【発明の効果】
以上詳述したように、請求項１の発明によれば、底板上を前後方向に摺動可能に商品支持体が配置され、底板上面に前記商品支持体と協働して商品を起立させる凹凸が形成されているため、厚みが薄くて座りの悪い商品を陳列する場合に、陳列具中の商品が売れて前方に空きスペースが生じても、底部が滑って商品が仰向けに寝てしまうことなく美しく陳列できると共に前出しが容易であり、さらに簡単な構造なためコストがかからない。
【００４１】
請求項２の発明によれば、より簡易な構造であるため製造コストが低減できると共に、別途の商品転落防止部や商品仕切り部を準備すれば、これと協働して商品転落防止や商品の仕切りが行える。
【００４２】
請求項３の発明によれば、商品陳列具を前部又は後部の一方のみで棚板上の任意の箇所に容易にかつ安定した状態で確実にセットできる。
【００４３】
請求項４の発明によれば、上記効果に加え、商品支持体は、商品の支持や前出しが不要の際は折りたたんで収納するか、又は商品陳列具から取り外し可能であるため、自立可能な商品を陳列する場合や商品支持体を不要とする場合は、折りたたんで収納状態にでき、商品陳列の妨げとならず、陳列用途の選択が広がる。
【００４４】
請求項５の発明によれば、上記効果に加え、底板上の凹凸の形状が側方からみた断面が略三角形状の突起物で形成される場合は、特に商品底部の滑りを効果的に防止でき、前出しの際に商品の底部に過度の力を与えない。また、底板から突出した突起物だけで凹凸部を形成するため、底板の厚さを薄くでき、商品収納スペースが広がる。また、溝状の凹部により形成される場合は、底板に薄物以外の厚みのある商品を載置しても、凸状突起によって商品の下部が傷つけられることがない。
【００４５】
請求項６の発明によれば、上記効果に加え、仕切り板に、商品支持体を前に押し出す機能を有する商品引出し具が摺動可能に形成されるため、商品や商品支持体に直接触れずに商品引出し部材を手前に引き出すだけで前出しを行うことができる。このため、商品陳列具をわざわざ商品陳列棚から取り出さなくても商品を前出しできる。
【００４６】
請求項７の発明によれば、上記効果に加え、商品陳列具が商品陳列棚に取り付け具を使用することなく載置され、商品陳列棚からの出し入れが自在なカセット式のものであるため、作業員は当該商品陳列具を商品陳列棚から取り出し、手元に引き寄せて作業を行うことができ、陳列商品の補充や取り替え等が容易となる。
【００４７】
請求項８の発明によれば、それ自身で起立不能な薄物包装物であっても底部が滑って商品が仰向けに寝てしまうことなく美しく陳列できる。
【図面の簡単な説明】
【図１】本発明の第１の実施の形態の商品陳列具を示す斜視図である。
【図２】本発明の第１の実施の形態の商品陳列具の使用状態を示す図である。
【図３】図１のＡ−Ａ線に沿う断面図である。
【図４】図１の商品陳列具の右側面図である。
【図５】本発明の第１の実施の形態の商品陳列具の使用状態を示す図である。
【図６】本発明の第１の実施の形態の商品陳列具の使用状態を示す図である。
【図７】本発明の第１の実施の形態の商品陳列具の使用状態を示す図である。
【図８】本発明の第１の実施の形態の商品陳列具の使用状態を示す図である。
【図９】（Ａ）は本発明の第１の実施の形態の商品陳列具の変形例、（Ｂ）は他の変形例、（Ｃ）は他の変形例を示す右側面図である。
【図１０】本発明の第２の実施の形態の商品陳列具を示す斜視図である。
【図１１】本発明の第２の実施の形態の商品陳列具の変形例を示す右側面図である。
【図１２】本発明の第３の実施の形態の商品陳列具を示す斜視図である。
【図１３】本発明の第３の実施の形態の商品陳列具の使用状態を示す斜視図である。
【図１４】本発明の第４の実施の形態の商品陳列具を示す斜視図である。
【図１５】本発明の第４の実施の形態の商品陳列具の使用状態を示す斜視図である。
【図１６】本発明の第５の実施の形態の商品陳列具の使用状態を示す斜視図である。
【図１７】本発明の第５の実施の形態の商品陳列具、その支持部材及び棚板を分解して示す要部の斜視図である。
【図１８】本発明の第５の実施の形態の商品陳列具を支持部材に係合した状態を示す要部の斜視図である。
【図１９】図１８のＡ−Ａ線に沿う断面図である。
【図２０】図１８のＢ−Ｂ線に沿う断面図である。
【図２１】従来の商品陳列具を示す斜視図である。
【符号の説明】
１、１ａ〜１ｉ                商品陳列具
２                            底板
２１                          底板上面（平面部）
３                            前板
３１ａ                        前板本体部
３１ｂ                        把手板
４                            仕切り板
５                            商品支持体
５１                          支持板部
５２                          前方脚部
５３                          後方脚部
５３ａ                        上部屈曲部
５３ｂ                        下部屈曲部
５４                          支持体底部
５４ａ                        支持体底部の側端
５４ｂ                        嵌合片
５５、５５ａ、５５ｂ          脚部嵌合穴
６                            底板切り欠き部
６１                          底板切り欠き部側端
６２                          前方の側端の一部
６５                          ガイドレール
７                            凹凸部
７ａ、７ｂ、７ｃ、７ｄ        突起物（凹凸部）
７ｅ、７ｆ                    溝状の凹部（凹凸部）
７１                          商品滑り抑止部
７２                          壁部
７３                          突起物の頂上部
８                            商品引出し部材
８１                          引出し本体
８２、８３                    スライド溝
８４                          後方連結部材
８５                          押圧片
８６                          摘まみ部
８７                          後方係止部
９                            コイルバネ
９３                          結合部
９４                          係合溝
９５                          位置決め用凸部
１０、１０ａ、１０ｂ、１０ｃ  商品
１００、１０１                商品の集合物
１３０                        商品転倒防止部材
１４０                        取付溝
１１                          商品底部
１２                          商品陳列棚
１５                          支持部材
１５１                        支持片
１５２                        係合片
１５３                        連結部
１５４                        凹部
５０                          スペース
２００                        商品陳列具
２０１                        底板
２１０                        仕切り板
２１１                        スライド溝
２２０                        押し板
２３０                        商品引出し具
【図１】
0004693011.tif 000002
【図２】
0004693011.tif 000003
【図３】
0004693011.tif 000004
【図４】
0004693011.tif 000005
【図５】
0004693011.tif 000006
【図６】
0004693011.tif 000007
【図７】
0004693011.tif 000008
【図８】
0004693011.tif 000009
【図９】
0004693011.tif 000010
【図１０】
0004693011.tif 000011
【図１１】
0004693011.tif 000012
【図１２】
0004693011.tif 000013
【図１３】
0004693011.tif 000014
【図１４】
0004693011.tif 000015
【図１５】
0004693011.tif 000016
【図１６】
0004693011.tif 000017
【図１７】
0004693011.tif 000018
【図１８】
0004693011.tif 000019
【図１９】
0004693011.tif 000020
【図２０】
0004693011.tif 000021
【図２１】
0004693011.tif 000022